(57)【要約】挙動の不便な患者を患者ベッドと患者移動ベッドとの間で互いに移送する時、患者に最小限の不便を与えながら、容易に移送するために、本発明の患者移動ベッドの上板移動板が患者ベッドマットレスの上で動く時、移送アーム（ｔｒａｎｓｆｅｒ  ａｒｍ）と移送アーム上で動く滑車（ｗｈｅｅｌｅｄ  ｃｈａｓｓｉｓ）を利用して、上板移動板が患者ベッドマットレスの上で容易に動くことができる。また、上板移動板が患者の方に容易に傾けるようにリンク（ｌｉｎｋａｇｅ）装置が上板移動板の下に設置されて、患者が横になった状態で単純に体を横に立てることで患者移動ベッドに載せられたり下ろすことができるので、患者に移送による不便を最小化させ、少ない人数で患者を簡単に移動することができる。また、本発明は患者の移送のために別途の外部動力が必要なく、且つ装置が簡単で、廉価で供給することができるという長所もある。【特許請求の範囲】
【請求項１】
患者が載せられる上板移動板（１０）、上板移動板と連結された滑車（２０）、滑車が設けられ、患者ベッドマットレスの上で動くことができる移送アーム（３０）、及び患者移動ベッドフレームの上で移送アームが移動するように連結させる移送アームハウジング（３４）などで構成される患者移送装置。
【請求項２】
上板移動板（１０）に患者を容易に載せたり下ろすために上板移動板（１０）が傾くことができるように上板移動板（１０）と滑車（２０）との間にリンク（４０）が設置される請求項１に記載の患者移送装置。
【請求項３】
滑車（２０）に連結された下端リンクアーム（４３）の長さと上板移動板（１０）に連結された上端リンクアーム（４２）の長さをそれぞれ調節して、上板移動板（１０）の回転ピボット点と移送アーム（３０）の上で動くことができる滑車（２０）の距離を調節することができる請求項２に記載の患者移送装置。
【請求項４】
上板移動板（１０）が患者を載せたり下ろすために傾く時、中断リンクジョイント（４１）がリンクフックホルダー（４５）に固定されることができるように中断リンクジョイント（４１）にリンクフック（４４）が設けられている請求項２に記載の患者移送装置。
【請求項５】
二つのリンクアームの成す角度が１８０度を超えないように防ぐ過大回転防止装置（ｓｔｏｐｐｅｒ）がリンクアーム連結ジョイントに設けられている請求項２に記載の患者移送装置
【請求項６】
移送アーム（３０）が所定距離以上ガイドレールハウシングを抜けないように移送アーム（３０）と移送アームハウジング（３４）との間に移送アームストッパ（３６）が設置される請求項１に記載の患者移送装置。
【請求項７】
患者を載せて動く時、滑車（２０）や移送アーム（３０）がベッドの外に抜けないように防ぐ側面保護カード下部支持台（５３）が設置される請求項１に記載の患者移送装置。
【請求項８】
患者が長時間患者移動ベッドに留まる場合、上板移動板の一部を立てて患者の疲れを解消させることができる上板移動板可動部（１１）が設置される請求項１に記載の患者移送装置。
【発明の詳細な説明】
【技術分野】
【０００１】
挙動の不便な患者を患者ベッドと患者移動ベッドとの間で移送する時、患者には最小限の不便を与えながら、簡単に患者を移送することができる装置が必要である。本発明は病院で患者を移送する時、患者ベッドと患者移動ベッドまたは患者移動ベッドと各種検査装置との間で発生される患者移送に係わる装置である。
【背景技術】
【０００２】
国内には関連装置に関する特許が多く出願されていないが、アメリカなどの先進国では患者移送装置に関する特許が非常に多く出願され且つ登録されている。出願及び登録された多くの海外特許は非常に複雑な装置を利用するか、使用が複雑で実際適用することが簡単でない。例えばＵＳ７，０００，２６８、ＵＳ５，９３７，４５６、ＵＳ４，８７３，７３２、ＵＳ４，２７４，１６８等の特許は、非常に複雑な装置を利用して費用が高く、且つ装置の設置が複雑で使用が不便である。
【０００３】
特許ＵＳ４，２５９，７５６は構造が簡単で、設置及び操作は簡便であるが、患者が上板移動板（ｔｏｐ  ｍｏｖａｂｌｅ  ｂｏａｒｄ）に横になると、患者の体重によって上板移動板と患者ベッドマットレスとの間の大きい摩擦力によって上板移動板の動きが難しいという短所がある。患者が上板移動板に横になっている時、上板移動板と患者ベッドマットレスとの間の摩擦力が大きくて、患者ベッドから患者移動ベッドまでまたは患者移動ベッドから患者ベッドにまで上板移動板を移動させることが困難である。このような短所を克服するために、特許ＵＳ７，０００，２６８は、上板移動板が患者ベッド上で容易に動けるように移送アーム（ｔｒａｎｓｆｅｒ  ａｒｍ）を新しく設置した。しかし、移送アームを別途に設置して撤収する複雑な過程が必要になる。また、移送アームを患者ベッドの上で容易に移動させるために、移送アーム先端と底にローラー（ｒｏｌｌｅｒ）を設置したが、ローラーが設置されると、患者ベッドマットレスから上板移動板までの間隔が大きくなって、患者が背中を起こして患者ベッドから上板移動板に横になることが不便になる。
【先行技術文献】
【特許文献】
【０００４】
【特許文献１】米国特許第７０００２６８号
【特許文献２】米国特許第５９３７４５６号
【特許文献３】米国特許第４８７３７３２号
【特許文献４】米国特許第４２７４１６８号
【特許文献５】米国特許第４２５９７５６号
【特許文献６】米国特許第７０００２６８号
【発明の概要】
【発明が解決しようとする課題】
【０００５】
患者移送装置は、外部動力を使用してはいけなく、患者に最小限の不便を与えながら、少ない人数で患者を安全且つ手軽く移動させることができるようにしなければならない。また患者移送装置は設置及び操作が簡単でなければならない。
【課題を解決するための手段】
【０００６】
本発明は別途の付加装置の複雑な設置及び撤収過程なしに、横になっている患者を患者ベッドと患者移動ベッドとの間で移動させるために、患者を載せることのできる患者移動ベッドの上板移動板１０を移送アーム（ｔｒａｎｓｆｅｒ  ａｒｍ）３０と滑車２０を利用して患者ベッドマットレスの上で容易に動かせることができるようにし、上板移動板１０に患者を容易に載せたり下ろすことができるようにするために、上板移動板１０を横に傾けることができるように、上板移動板１０の下にリンク４０装置が設置されている患者移送装置に関する。
【発明の効果】
【０００７】
患者を病室から診療及び検査室に移動させるために、患者ベッドから患者移動ベッドに移動させなければならないことが多い。また、患者移動ベッドからＸ線撮影機、ＭＲＩ撮影機など各種検査装備に患者を移動させることも多い。その度に体の不便な患者を移動させることは簡単ではない。移動させる度に、患者には大きい苦痛が与えられ、また、手間がかかる。特に、最近人々の肥満が深刻になるにつれて、体重の重い患者の移送に非常に大きい不便がある。
【０００８】
本発明は患者が横になった状態から単純に患者の体を横に立てることによって、患者を患者移動ベッドに容易に載せられたり下ろすことができるので、患者には移送による不便を最小化させることができ、少ない人数で患者を容易に移動させることができるという長所がある。
【０００９】
特に、本発明は患者を移送するために別途の外部動力を必要せず、別途の付属装置を設置したり撤収する過程が必要なくて、運営が非常に便利であり、且つ装置が簡単であることから廉価で供給することができる。
【図面の簡単な説明】
【００１０】
【図１】患者移動ベッドの概略前面図である。
【図２】患者移動ベッドの概略裏面図である。
【図３】移送アームの構成図である。
【図４】移送アームの正面図である。
【図５】移送アームの側面図である。
【図６】移送アームの作動状態である。
【図７】滑車及びリンク構成図である。
【図８】移送アームカバーである。
【図９】患者を患者移動ベッドに載せる段階である。
【図１０】患者を患者移動ベッドから下ろす段階である。（方法１）
【図１１】患者を患者移動ベッドから下ろす段階である。（方法２）
【図１２】側面保護ガード構成図である。
【図１３】傾斜された移動板の状態でる。
【発明を実施するための形態】
【００１１】
図１及び図２において、患者を載せるために、患者移動ベッドの上板移動板１０を患者ベッドの上で容易に動かせるために、上板移動板の下にローラーが設けられた移送アーム（ｔｒａｎｓｆｅｒ  ａｒｍ）３０を設置した。上板移動板１０は移送アーム３０と直接連結されず、上板移動板１０が移送アーム３０の上で容易に移動することができるように、図３の小さな滑車（ｗｈｅｅｌｅｄ  ｃｈａｓｓｉｓ）２０がリンク４０を通じて上板移動板１０に直接連結されている。図４、５、７で示すように、滑車２０には滑車ローラー２１が付いている上板移動板１０が動かすと、図７のリンク４１〜４４、４６〜４８を通じて上板移動板１０に固定された滑車は図８の滑車ガイド溝３７を通じて移送アーム３０の上で動く。
【００１２】
滑車２０が上板移動板１０と一緒に動く時、滑車が移送アーム３０の両側端に行って、図６、８の移送アーム端部（３３）に掛けられると、移送アーム３０も滑車２０とともに動く。移送アームハウジング３４の底には移送アームストッパ３６が設置されて、滑車とともに移送アーム３０が移送アームハウジング３４上で動く途中に移送アームストッパ３６に掛けられると、移送アーム３０はそれ以上動くことができなくなる。本発明の主な特徴は、移送アーム３０を別途に設置したり撤収する過程が必要なく、患者を載せたり下ろすために、上板移動板１０が動く時、上板移動板に固定された滑車２０が移送アーム３０の上で所定距離を動いた後、滑車２０と移送アーム３０が一緒に移送アームハウジング３４の上及び患者ベッドの上で再び所定距離動く。
【００１３】
上板移動板１０が患者ベッドの上で簡単に動くようにするために、移送アーム３０を設置する。特許ＵＳ７，０００，２６８は別途に移送アーム３０を設置したり撤収する複雑な過程が要求されたが、本発明では上板移動板１０が動く時滑車２０を通じて移送アーム３０が一緒に動くようになって別途に移送アーム３０を設置及び撤収する過程が必要ない。
【００１４】
図１及び図２に示したように、上板移動板１０と滑車２０との間は、図７のようなリンク４１〜４４、４６〜４８で連結され、上板移動板１０を患者の方に傾けて患者を容易に載せたり下ろすことができる。上板移動板１０を患者の背中の下に充分に傾けることができれば患者は簡単に患者ベッドから上板移動板１０に載ることができる。また、患者を下ろす時は、上板移動板１０を患者ベッドの方に傾けることによって、患者が患者ベッドの方に自然に滑るようにすることができる。
【００１５】
患者を患者移動ベッドに載せたり下ろす過程は図９、１０、１１に示されている。まず、患者ベッドから患者移動ベッドに患者を載せるために、図９に示すように、上板移動板１０を動かすと、リンク４０を通じて連結された滑車２０が一緒に動いて、適当な距離を移送アーム３０上で移動した滑車は、移送アーム端部３３に到逹して、図９ｂ、９ｃのように、滑車２０は移送アーム３０を患者移動ベッドの外に動かせる。まだ患者を載せていないので、移送アーム３０は患者ベッドマットレスの上で軽く動くことができる。
【００１６】
図７で上板移動板１０に連結されているリンクの上端リンクアーム４２の長さが下端リンクアーム４３の長さより長くて、図９−ｂで示すように、下端リンクアーム４３に連結された滑車２０が移送アームガイド溝３７に沿ってより長い距離を移動することができて、上板移動板１０をさらにベッドに近づけることができる。上板移動板１０が患者に近づくと、上板移動板１０をリンク４０を通じて患者の方に傾ける。上板移動板１０を患者の方に傾ける時、図９ｄで示すように、患者から遠いリンク６１は開かれるが、患者に近いリンク６２は、図７のリンクフック４４が図６、８のリンクフックホルダー４５に掛けられて、上板移動板１０とともに傾かないで上板移動板１０と連結された上端リンクジョイント４８が回転ピボット点になる。図９で、患者に近いリンク６２の上端リンクジョイント４８が上板移動板の回転ピボット点になると、患者が上板移動板１０に寄りかかる時、患者の体重中心が患者移動ベッドの中心側にずっと近づいて、患者が上板移動板１０に寄りかかる時、上板移動板１０は自然に患者移動ベッド上に置かれる。
【００１７】
図９ｅのように、上板移動板１０の上に患者が自然に横になると、上板移動板１０を患者移動ベッドの方に押し、そうすると、上板移動板１０は、図９−ｆのように移送アームの上でを動くようになる。この時、上板移動板１０が滑車２０を通じて移送アーム３０の上で動くので、上板移動板１０を動かすのに大きい力が必要ない。上板移動板１０が滑車２０とともに移送アーム３０の他端部３３に到逹すると、患者の体重中心が既に患者ベッドから患者移動ベッドに移されているので、移送アーム３０を図９−ｇのように患者ベッドマットレスの上で撤収することはあまり難しくない。
【００１８】
図９ｇで上板移動板１０が患者ベッドの反対方向にさらに動くことができれば、移送アーム３０は上板移動板１０に連結された滑車２０に付いて完全に撤収されることができるが、側面保護カード（ｓｉｄｅ  ｒａｉｌ）５０によって上板移動板１０が患者ベッドの反対方向にさらに動くことができなくても、患者は既に患者移動ベッドに完全載せられているので、一部撤収されない移送アームは非常に少ない力でも図９ｈのように完全に撤収されることができる。
【００１９】
移送アーム３０にはローラーが設けられていていて、患者ベッドマットレスの上で容易に動くことができるが、患者が上板移動板１０に置かれている時には、患者の体重によって移送アーム３０は患者ベッドマットレスの上で動きにくい。このような短所を克服するために、上板移動板１０が移送アーム３０の上で動けるようにする小さな滑車を設けたこと、リンクの上端リンクアーム４２の長さが下端リンクアーム４３より長くしたことが本発明の最も重要な特徴の中の一つである。患者を患者移動ベッドに載せたり下ろす時、上板移動板１０の体重中心がベッドの方に近い時のみに移送アーム３０が患者ベッドマットレスの上で動くことができて、移送アーム３０は容易に患者ベッドマットレスの上で動くことができる。また上板移動板１０と移送アーム３０は患者移動ベッドの左右両方向に全て動くことができて使用が便利である。
【００２０】
逆に、患者を患者移動ベッドから患者ベッドに下ろす時は、患者移動ベッドを患者ベッドの横に付けた後、図１０ａ、１０ｂのように、患者を載せた上板移動板１０を患者ベッドの方に押す。上板移動板１０が患者ベッドの方に押されると、再び滑車が移送アーム３０の上で動き、移送アーム３０の一端部３３まで移動した後、滑車２０は移送アーム端部３３と遭って移送アーム３０とともに動くようになる。図１０ｃのように、上板移動板１０と移送アーム３０が患者ベッドの方に充分に移動された後、図１０ｄのように、リンク４０に連結された上板移動板１０を患者ベッドの方に傾けると、患者の体重中心が偏りながら、図１０ｅのように、自然に患者の体が患者ベッドの方に滑って下るようになる。患者を患者ベッドの方に下ろしてからは、図１０ｆと１０ｇのように、再び上板移動板１０を患者移動ベッドの方に押せば滑車とガイドレールが一緒に簡単に撤収される。
【００２１】
患者が非常に重い場合、図１０ｃに示すように、患者ベッドマットレスの上の摩擦力によって患者の体重を支えている移送アーム３０が動きにくい場合がある。この場合には、図１１ｂのように、まず手で移送アーム３０を引き抜いて適切な距離だけ患者ベッドの上に設置した後、図１１ｃのように、患者が載せられた上板移動板１０を引っ張れば上板移動板は移送アーム３０の上で簡単に動くことができる。
【００２２】
患者を患者ベッドから患者移動ベッドに移す時や、患者移動ベッドから患者ベッドに移す時、患者移動ベッドの安全性が非常に重要である。特に患者の体重中心が移動するので、患者移動ベッドが倒れないようにすることが非常に重要である。患者を患者移動ベッドに移して載せたり下ろすために、患者移動ベッドが患者ベッドの傍に近付くと、患者移動ベッドのローラーロック装置を通じて、図１、２の患者移動ベッドローラー５２を固定させることが非常に重要である。
【００２３】
本発明では、患者の体重中心が患者移動ベッドから逸脱する時には、既に移送アーム３０が患者ベッドマットレスの上に常に先に置かれていて、患者ベッドマットレスの上にある移送アーム３０は患者の体重中心の移動によって患者移動ベッドが倒れることを防ぐ作用をする。
【００２４】
また、患者が一旦患者移動ベッドに載せられてから患者移動ベッドを動かす前に、患者移動ベッドの両方にある側面保護カード５０を図１２のように載せて上板移動板１０の動きを固定させなければならない。側面保護カード５０は患者を移動する時患者が患者移動ベッドから落ちないように保護する役割を果たし、同時に図１２の側面保護カード下部支持台５３を通じて上板移動板と移送アーム３０の動きを固定させる役割を果たす。
【００２５】
患者を載せるために、図９ｂ、９ｃのように、上板移動板１０が動く時、上板移動板１０にまだ患者がいないため、移送アーム２０は軽くて容易に動く。また、患者が上板移動板１０に載せられると、図９ｆ、９ｇのように、既に設置された移送アーム３０に沿って上板移動板１０が滑車３０を通じて移送アーム３０の上で動き、上板移動板１０が患者移動ベッドの方に充分に移動されると、患者の体重の大部分は既に患者移動ベッドに移されているので、簡単に移送アーム３０を撤収することができる。従って、移送アーム３０は別途に設置及び撤収する過程が必要なく、上板移動板１０と一緒に容易に設置及び撤収されることができる。
【００２６】
本発明の最大の長所は、移送アーム３０などの付属装置を別途に設置したり撤収する過程が必要なく、図９のように単純に上板移動板１０を患者移動ベッドの方から患者の方に引いて患者を上板移動板１０に載せた後、上板移動板１０を再び患者移動ベッドの方に押せば、力を入れずに容易に患者を患者移動ベッドに載せることができることにある。また、患者を患者移動ベッドから患者ベッドに下ろすためにも付属装置を設置する別途の過程が必要なく、図１０及び図１１のように、単純に上板移動板１０を患者ベッドの方に引いて患者を下ろし、上板移動板を再び患者移動ベッドの方に押せば、力を入れずに患者を患者移動ベッドから患者ベッドに下ろすことができる。
【００２７】
移送アーム３０は移送アームハウジング３４を通じて患者移動ベッドフレーム５１と連結されている。移送アームハウジング３４が設置された患者移動ベッドフレーム５１はジョイントなどを通じて、必要によっては、上板移動板可動部１１を、図１３のように立てることができる。患者が患者移動ベッドで長時間待つ時には、上板移動板可動部１１を立てて患者をより楽に横になるようにすることができる。
【００２８】
移送アームハウジング３４が設置されたフレームの下にスライダーを設置して、上板移動板、リンク、滑車、ガイドレール、ガイドレールハウジングなどで構成された患者移送装置がより患者ベッドに近付くようにすることもできる。
（産業上利用可能性）
【００２９】
本発明は病室の患者ベッドに横になっている患者を診療及び検査室に移動させるため、または診療及び検査室で病室の患者ベッドに移動させるために用いられる患者移動ベッドに適用することができる。
【００３０】
本発明は患者が横になった状態から単純に患者の体を横に立てることで患者を患者移動ベッドに容易に載せたり下ろすことができるので、移送する度に患者に与える不便を最小化することができ、少ない人数で患者を容易に移動することができるという長所もある。
【００３１】
本発明は体重の重い患者の移送による大きな不便を最小化することができるので、最近肥満な人が増えるにつれて本発明の活用性はさらに高くなるでしょう。特に、本発明は患者移送のために別途の外部動力が必要なく、別途の付属装置を設置したり撤収する過程が必要なくて運営が非常に便利であり、且つ装置が簡単であるので、廉価で供給することができる。
【図１】
2012529967.tif 000002
【図２】
2012529967.tif 000003
【図３】
2012529967.tif 000004
【図４】
2012529967.tif 000005
【図５】
2012529967.tif 000006
【図６】
2012529967.tif 000007
【図７】
2012529967.tif 000008
【図８】
2012529967.tif 000009
【図９−ａ】
2012529967.tif 000010
【図９−ｂ】
2012529967.tif 000011
【図９−ｃ】
2012529967.tif 000012
【図９−ｄ】
2012529967.tif 000013
【図９−ｅ】
2012529967.tif 000014
【図９−ｆ】
2012529967.tif 000015
【図９−ｇ】
2012529967.tif 000016
【図９−ｈ】
2012529967.tif 000017
【図１０−ａ】
2012529967.tif 000018
【図１０−ｂ】
2012529967.tif 000019
【図１０−ｃ】
2012529967.tif 000020
【図１０−ｄ】
2012529967.tif 000021
【図１０−ｅ】
2012529967.tif 000022
【図１０−ｆ】
2012529967.tif 000023
【図１０−ｇ】
2012529967.tif 000024
【図１０−ｈ】
2012529967.tif 000025
【図１１−ａ】
2012529967.tif 000026
【図１１−ｂ】
2012529967.tif 000027
【図１１−ｃ】
2012529967.tif 000028
【図１１−ｄ】
2012529967.tif 000029
【図１１−ｅ】
2012529967.tif 000030
【図１１−ｆ】
2012529967.tif 000031
【図１１−ｇ】
2012529967.tif 000032
【図１１−ｈ】
2012529967.tif 000033
【図１２】
2012529967.tif 000034
【図１３】
2012529967.tif 000035